【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
ｅペーパーと、ドライバと、機械的ドライバとを備えるｅペーパーシステムにおいて、
前記ｅペーパーは、
独立して、電荷を受け取る、電荷を保持する、かつ電荷を取り除かれるように構成された複数の電極領域を有し、前記複数の電極領域のうちの１つまたは複数の電極へ電荷を移動する、かつ／または前記１つまたは複数の電極から電荷を取り除くことによってｅペーパーの出力状態を制御し、
前記ドライバは、
コントロールユニットと、
前記コントロールユニットが選択的に、かつ独立して複数のドライバ接点の各ドライバ接点を帯電させるように構成される、複数のドライバ接点と、
複数の導電要素を有する接触要素と
を備え、
前記機械的ドライバは、
前記ｅペーパーに対して前記ドライバを第１の方向へ摺動させるように構成される機械的ドライバであって、前記ｅペーパーに対して摺動し、前記複数の導電要素が、前記ｅペーパーの前記複数の電極領域に対して変更可能に配置されて、前記第１の方向に対して前記ｅペーパーに沿う直線位置に基づいて、電荷を前記ｅペーパーの前記複数の電極領域の前記電極領域の１つまたは複数へ移動する、ｅペーパーシステム。
【請求項２】
前記接触要素が回転要素を備え、前記回転要素が前記複数の導電要素を備え、前記ドライバが前記ｅペーパーに対して摺動するとき、前記回転要素が回転し、前記回転要素が回転すると、前記複数の導電要素が、前記ｅペーパーの前記複数の電極領域に対して変更可能に配置されて、前記回転要素の回転位置および前記第１の方向に関する前記ｅペーパーに沿う直線位置に基づいて、電荷を前記ｅペーパーの前記複数の電極領域の前記電極領域のうちの１つまたは複数へ移動し、
第１の回転位置および第１の直線位置において、前記回転要素の前記複数の導電要素のうちの前記導電要素の第１のサブセットが、前記複数のドライバ接点のうちのドライバ接点の第１のサブセットを、前記複数の電極領域のうちの電極領域の第１のサブセットと電気的に接続し、第２の回転位置および第２の直線位置において、前記回転要素の前記複数の導電要素のうちの前記導電要素の第２のサブセットが、前記複数のドライバ接点のうちのドライバ接点の第２のサブセットを、前記複数の電極領域のうちの電極領域の第２のサブセットと電気的に接続する、請求項１に記載のシステム。
【請求項３】
前記複数のドライバ接点がプリント回路基板を備え、前記複数のドライバ接点がプリント回路基板上に配置される、請求項１に記載のシステム。
【請求項４】
最初に、前記回転要素の前記導電領域が帯電され、次いで、前記回転要素が回転すると、前記回転要素が前記ｅペーパーの前記複数の導電領域を帯電させる、請求項２に記載のシステム。
【請求項５】
前記回転要素が、フィルムを有するシリンダを備え、前記フィルムが前記シリンダの表面を取り囲む連続した導電領域と非導電領域を有する、請求項２に記載のシステム。
【請求項６】
前記回転要素が、連続した導電層と非導電層を有するシリンダを備える、請求項２に記載のシステム。
【請求項７】
前記円筒状要素の表面が、導電領域と非導電領域のパターンを有する、請求項５に記載のシステム。
【請求項８】
前記回転要素の前記導電領域が低摩擦導電材料で被覆される、請求項２に記載のシステム。
【請求項９】
前記円筒状要素の表面が、間隔を置いて配置される導電要素のみを有する、請求項５に記載のシステム。
【請求項１０】
前記回転要素が導電ビーズを備え、前記導電ビーズが、その間にはさまれた非導電要素と一緒に並べられた、請求項２に記載のシステム。
【請求項１１】
前記ドライバが前記ｅペーパーに対して摺動すると、前記複数の電極領域から電荷を取り除くワイパをさらに備える請求項１に記載のシステム。
【請求項１２】
前記ドライバが、前記ドライバの第１の部分と前記ドライバの第２の部分との間にある前記ｅペーパーを保持し、前記ドライバの前記第１の部分が、前記ｅペーパーの第１の側に配置され、前記複数の電極領域が前記ｅペーパーの前記第１の側にあり、前記ドライバの前記第２の部分が、前記ｅペーパーの第２の側に配置され、前記ドライバの前記第２の部分が前記ｅペーパーの前記第２の側に圧力をかけて、前記ドライバの前記第１の部分と前記ｅペーパーの前記第１の側との間の接触を確実にする、請求項１に記載のシステム。
【請求項１３】
前記ドライバの前記第１の部分が、前記複数のドライバ接点と前記複数の電極領域を接続する前記複数の導電要素を有する、請求項１２に記載のシステム。
【請求項１４】
前記ドライバの前記第１の部分と前記ドライバの前記第２の部分が前記ｅペーパーを取り囲む、請求項１２に記載のシステム。
【請求項１５】
前記ワイパが導電性であり、前記ドライバに移動可能に取り付けられ、前記ワイパが前記ｅペーパーに接触すると、前記ワイパが前記ｅペーパーの画像を消去する、請求項１１に記載のシステム。
【請求項１６】
前記ｅペーパーが可撓性である、請求項１に記載のシステム。
【請求項１７】
前記システムが、棚の縁に取り付けられるように構成され、前記ドライバが前記棚の前記縁に対して静止しており、前記ｅペーパーが、前記棚の前記縁に沿って前記ｅペーパーの長さにわたって動く、請求項１に記載のシステム。
【請求項１８】
請求項１に記載のｅペーパーシステムを備える、ｅペーパーディスプレイ。
【請求項１９】
前記ｅペーパーが棚の縁に対して静止し、前記ドライバが前記棚の前記縁に沿って前記ｅペーパーの長さにわたって動くように、前記ｅペーパーディスプレイが前記棚の前記縁に取り付けられるように構成される、請求項１８に記載のｅペーパーディスプレイ。
【請求項２０】
請求項１８に記載の１つまたは複数のｅペーパーディスプレイと、通信モジュールと、コマンドモジュールとを備える、情報を表示するためのシステムにおいて、
前記１つまたは複数のｅペーパーディスプレイのそれぞれがｅペーパーとドライバを備え、前記ドライバが１つまたは複数の一緒に整列したｅペーパーに書き込むように構成され、
前記通信モジュールは、前記ドライバに、前記ｅペーパーに書き込む内容に関する第１の信号を送るように構成され、
前記コマンドモジュールは、前記通信モジュールに第２の信号を送り、前記ドライバが前記ｅペーパーに書き込むために１つまたは複数の最新情報を、前記第２の信号が与えるように構成されている、情報を表示するためのシステム。
【請求項２１】
電源をさらに備える、請求項２０に記載のシステム。
【請求項２２】
電力がドライバの動きから回収される、請求項２０に記載のシステム。
【請求項２３】
電力が周囲の光から回収される、請求項２０に記載のシステム。
【請求項２４】
前記電源が前記ドライバの外側にあり、前記ｅペーパーが接点を有して前記ドライバと前記電源を接続する、請求項２１に記載のシステム。
【請求項２５】
前記ｅペーパーとドライバが互いに対して滑るように、前記ドライバが前記ｅペーパーと摺動可能に相互接続され、前記ｅペーパーとドライバが互いに対して滑るとき、前記ドライバが前記ｅペーパーに書き込み、前記ドライバの第１の部分が前記ｅペーパーの第１の側に配置され、前記ドライバの第２の部分が前記ｅペーパーの第２の側に配置され、前記第２の側が前記第１の側の反対側にある、請求項２０に記載のシステム。
【請求項２６】
前記１つまたは複数のｅペーパーディスプレイが複数のｅペーパーディスプレイを備える、請求項２０に記載のシステム。
【請求項２７】
前記ドライバが、
コントロールユニットと、
前記コントロールユニットによって帯電することができる複数のドライバ接点を有するプリント回路基板と、
回転接触要素とを備え、前記回転接触要素上の導電要素が、前記複数のドライバ接点を第１の回転位置にある一列のｅペーパー表面上の複数の電極領域と電気的に接続させ、前記回転要素が動くと、前記回転要素が前記プリント回路基板上の前記複数のドライバ接点と電気的に接触し、前記回転接触要素の少なくとも１つの追加の回転位置で、前記ｅペーパーの前記複数の電極領域と接触する、請求項２０に記載のシステム。
【請求項２８】
前記ｅペーパーディスプレイが棚の縁に取り付けられるように構成され、前記ｅペーパーが前記棚の前記縁に対して静止しており、前記ドライバが、前記棚の前記縁に沿って前記ｅペーパーの長さにわたって動く、請求項２０に記載のシステム。
【請求項２９】
前記複数のドライバ接点が薄膜トランジスタのアレイを備える、請求項２に記載のシステム。